(57)【特許請求の範囲】
【請求項１】
容器本体と上枠体とを備えた容器であって、
前記容器本体が上面開口部を有し、
前記上枠体が上面開口部および下面開口部を有し、
前記上枠体が上側側壁部および下側側壁部を備え、段差部が前記上側側壁部と前記下側側壁部との間に形成され、
前記段差部の外面および前記容器本体の側壁部の上端部のいずれか一方に係止片が設けられ、他方に前記係止片が嵌合可能な孔が設けられ、
前記下側側壁部を前記容器本体の側壁部の内側に挿入したときに、前記段差部が前記容器本体の側壁部の上端部で支えられるとともに、前記係止片のそれぞれが前記孔のそれぞれに嵌合することを特徴とする容器。
【請求項２】
請求項１に記載した容器であって、
前記段差部の外面の複数個所および前記容器本体の側壁部の上端部の複数個所のどちらか一方に係止片が設けられ、他方に前記係止片が嵌合可能な孔が設けられていることを特徴とする容器。
【請求項３】
請求項２に記載した容器であって、
前記段差部が前記上枠体の側面の全周に設けられ、複数の係止片が前記段差部の外面および前記容器本体の側壁部の上端部の一方の全周にわたって散在するように設けられ、前記複数の係止片が嵌合可能な複数の孔が他方の全周にわたって散在するように設けられていることを特徴とする容器。
【発明の詳細な説明】
【０００１】
【発明の属する技術分野】
本願発明は、切り花等の容器に関し、特に容器を容器本体と上枠体とで構成し、この容器本体と上枠体とが着脱自在でかつ強固に結合可能である容器に関するものである。
【０００２】
【従来の技術】
従来から、切り花等を輸送する場合に、切り花等を入れる容器が用いられている。この容器は、ほとんどの場合バケツ状のものである。このバケツ状の容器の底に水（栄養剤を含む。）を入れた状態で、切り花等の束をこの容器に入れて輸送することになる。
【０００３】
【発明が解決しようとする課題】
しかし、上記従来のバケツ状の容器では、切り花等の長さが異なる場合に、切り花等を収容するのに不便であった。即ち、比較的短い切り花等の長さに合わせた容器は、比較的長い切り花等を収容するのに不適当であり、逆に比較的長い切り花等の長さに合わせた容器は、比較的短い切り花等を収容するのに不適当であるという問題があった。
そこで、本願発明が解決しようとする課題は、容器を容器本体とこの容器本体に必要に応じて付加することができる上枠体とで構成し、この上枠体と容器本体が着脱自在であり、かつ容器本体に上枠体を取り付けたときに、その取付が強固であるようにすることにある。
【０００４】
【課題を解決するための手段】
上記課題を解決するため、本願の第１の発明は、請求項１記載のとおりである。
上記第１の発明により、容器は容器本体と上枠体とを備え、前記容器本体が上面開口部を有し、前記上枠体が上面開口部および下面開口部を有している。前記上枠体が上側側壁部および下側側壁部を備え、段差部が前記上側側壁部と前記下側側壁部との間に形成されている。前記下側側壁部を前記容器本体の側壁部の内側に挿入したときに、前記段差部が前記容器本体の側壁部の上端部で支えられ、前記段差部の外面に設けられた係止片（または孔）が前記容器本体の側壁部の上端部の孔（または係止片）に嵌合するので、前記上枠体が前記容器本体に着脱自在に取り付けられ、かつその取付状態が強固である。さらに、前記取付状態において、前記上枠体と前記容器本体との位置合せの精度が向上する。
【０００７】
さらに、第２の発明は、請求項２記載のとおりである。
上記第２の発明により、上記第１の発明による作用とともに、前記段差部の複数個所に設けられた係止片（または孔）のそれぞれが、前記容器本体の側壁部の上端部の複数個所に設けられた孔（または係止片）のそれぞれに嵌合したときには、一層強固にかつ着脱自在に上枠体を容器本体に取り付けることができる。
【０００８】
さらに、第３の発明は、請求項３記載のとおりである。
上記第３の発明により、上記第２の発明による作用とともに、前記段差部が前記上枠体の側面の全周囲に設けられ、前記段差部の外面の全周および前記容器本体の側壁部の上端部の全周にわたって散在するように形成された前記複数の係止片と孔の嵌合により、さらに一層強固にかつ着脱自在に上枠体を容器本体に取り付けることができる。
【０００９】
【発明の実施の形態】
以下、本願発明における実施の形態を図面に基づいて説明する。図１は、本願発明の実施の形態に係る容器１の斜視図である。図１において、容器１は容器本体１０と上枠体２０とを備えている。
容器本体１０は上面開口部１１（後述する図９参照）を有する容器状のものである。容器本体１０の側壁部１２を取り巻く外枠部１４が形成されている。４つの開口部１４ａ、１４ｂ、１４ｃ、１４ｄ（図９参照）が外枠部１４の側面に形成されている。折り曲げ部１４ｇが外枠部１４の下端部１４ｆに連設されている。
【００１０】
上枠体２０は、上面開口部２１および下面開口部２５（後述する図２参照）を有するほぼ四角形筒状のものであり、上側側壁部２２および下側側壁部２４を備えている。段差部２３が上側側壁部２２と下側側壁部２４との間に形成され、下側側壁部２４を容器本体１０の側壁部１２の内側に挿入した状態では、段差部２３が容器本体１０の側壁部１２の上端部１２ａ（後述する図３参照）で支えられている。
表示板３０（後述する図１３参照）取り付け用の４つの開口部２２ａ、２２ｂ、２２ｃ、２２ｄが上枠体２０の上側側壁部２２に形成されている。
上側側壁部２２の上端部２２ｅが上面開口部２１の縁となる。多数の四角形孔２２ｆが上端部２２ｅに形成されている。さらに、折り曲げ部２２ｇが上端部２２ｅに連設されている。
【００１１】
図２は、図１の容器１の平面を図１より拡大して示している。図２において、４つの開口部２４ａ、２４ｂ、２４ｃ、２４ｄが上枠体２０の下側側壁部２４に形成されている。
【００１２】
図３は、図２のIIIーIII断面を示す。図３において、外枠部１４の上端は側壁部１２の上端部１２ａに連設され、補強用の多数のリブ１４ｘが外枠部１４と側壁部１２との連設部分の近傍の外枠部１４と側壁部１２間を連結している。容器本体１０の底部１３が側壁部１２の下端を塞ぐように形成されている。
また、上枠体２０の下側側壁部２４が容器本体１０の側壁部１２の内面１２ｃに嵌合している。
【００１３】
図４は、図３の容器本体１０と上枠体２０との取付部分を拡大して示す。図４において、係止片２３ｂが段差部２３の外面２３ａに下向きに設けられている。このため、上枠体２０の下側側壁部２４が容器本体１０の側壁部１２の内面１２ｃに挿入された状態では、係止片２３ｂが容器本体１０の側壁部１２の上端部１２ａの孔１２ｂに嵌合する。このため、上枠体２０が容器本体１０に強固に取り付けられる。なお、この場合、容器本体１０と上枠体２０とは着脱自在である。また、上記上枠体２０の下側側壁部２４が容器本体１０の側壁部１２の内面１２ｃに挿入された状態では、側壁部１２の内面１２ｃと下側側壁部２４の外面２４ｅとが嵌合状態もしくは両者の間に若干の隙間がある状態になる。
【００１４】
図５は、図１の上枠体２０の正面を示している。図５において、係止片２３ｂは、段差部２３の全周にわたって散在するように設けられている。
【００１５】
図６は、上枠体２０を容器本体１０に取り付ける直前の状態を示す。図６において、係止片２３ｂと孔１２ｂとが対応する位置に形成されている。
【００１６】
図７は、図１の上枠体２０を下から見た斜視図である。図７において、係止片２３ｂは、段差部２３の外面２３ａの全周にわたって散在するように設けられている。
図８は、図１の容器本体１０の正面を示している。
【００１７】
図９は、図１の容器本体１０の平面を図１より拡大して示している。図９において、多数の四角形の孔１２ｂが容器本体１０の側壁部１２の上端部１２ａに形成されている。
多数のリブ１４ｈが外枠部１４の下端部１４ｆと折り曲げ部１４ｇとを連結するように形成されている。また、多数の四角形の孔１４ｉが外枠部１４の下端部１４ｆに形成されている。なお、リブ１４ｈと同様のリブが図１の上枠体２０の上側側壁部２２と折り曲げ部２２ｇとの間にも形成されている。
【００１８】
図１０は、図５の上枠体２０を上下逆にして図８の容器本体１０に被せた状態を図５および図８より拡大して示す正面図である。図１０において、容器本体１０の外枠部１４が上枠体２０の上側側壁部２２の内面２２ｈに嵌合している。
図１０に示す状態にて、容器１の外形が最も小さくなる。
【００１９】
図１１は、図１の容器本体１０を積み重ねた状態の断面を図１より拡大して示している。図１１において、上側の容器本体１０の側壁部１２は、下側の容器本体１０の側壁部１２の内側に重ねられ、上側の容器本体１０の外枠部１４は、下側の容器本体１０の外枠部１４の外側に重ねられている。このため、複数の容器本体１０を積み重ねることが容易である。
【００２０】
図１２は、図１の上枠体２０を積み重ねた状態の断面を図１より拡大して示している。図１２において、上側の上枠体２０の上側側壁部２２は下側の上枠体２０の上側側壁部２２の内側に重ねられ、上側の上枠体２０の下側側壁部２４は下側の上枠体２０の下側側壁部２４の内側に重ねられている。このため、複数の上枠体２０を積み重ねることが容易である。なお、この場合、係止片２３ｂは、上記積み重ねの障害とならない。
【００２１】
図１３は、図１の容器１の上枠体２０に表示板３０を取り付けた状態の正面を図１より拡大して示している。図１３において、表示板３０は、紙または合成樹脂板等である。一対の切込３１、３２が表示板３０の図示右端部に形成され、舌片３５が切込３１、３２により形成されている。同様に、一対の切込３３、３４が表示板３０の図示左端部に形成され、舌片３６が切込３３、３４により形成されている。さらに、舌片３７が表示板３０の上端に連設され、舌片３８が表示板３０の下端に連設されている。
容器１に収容される商品名（この場合、切り花「ポインセチア」）の表示４１、商品の生産者（産地）名（この場合、「○○農園」）の表示４２および商品の等級（この場合、「１級品」）の表示４３および商品の品名、生産者、等級、価格等のバーコード表示４４が表示板３０の表面３０ａに示されている。
【００２２】
表示板３０の舌片３５、３６が上枠体２０の上側側壁部２２の開口部２２ａから上側側壁部２２の内側に差し込まれ、表示板３０の上側の舌片３７が折り曲げ部２２ｇと上側側壁部２２との間に差し込まれているので、表示板３０が上枠体２０に着脱自在に取り付けられている。
【００２３】
なお、上記実施の形態において、上枠体２０の下側側壁部２４を省いてもよい。このときは、上側側壁部２２が上枠体２０の側壁部となり、段差部２３が上枠体２０の側壁部の下端部となる。
また、係止片２３ｂおよび係止片２３ｂに嵌合する孔１２ｂの数および位置は、図示されたものに限定されず任意でよい。さらに、係止片の位置と係止片に嵌合する孔の位置とを取り替えて、容器本体１０に係止片を設け、容器本体１０の係止片が嵌合する孔を上枠体２０に形成してもよい。
また、容器本体１０および上枠体２０は、それぞれ樹脂成形により一体成形可能である。また、容器本体１０および上枠体２０は、それぞれ樹脂以外の材料（例えば金属等）を使用したものでもよい。
また、表示板３０は、容器本体１０の外枠部１４の開口部１４ａ〜１４ｄにも取り付け可能である。
【００２４】
【発明の効果】
本願の第１の発明により、上側側壁部と下側側壁部の間に段差部を有する上枠体の下側側壁部が容器本体の上面開口部から前記容器本体内に挿入されたときには、この上枠体が前記容器本体に着脱自在に取り付けられ、かつその取付状態が強固である。さらに、前記取付状態において、前記上枠体と前記容器本体との位置合せの精度が向上する。
このため、前記上枠体と前記容器本体との組合わせにより、容器本体のみを使用したときよりも長い切り花等を収容することができる。
このため、容器本体のみを使用して比較的長さが短い切り花等を収容することができるとともに、上枠体と容器本体を上記のように組み合わせることにより、比較的長さが長い切り花等を収容することができる。この結果、異なる長さの切り花等を容易に収容して輸送することができる。
【００２８】
さらに、第２の発明に係る容器により、上記第１の発明の効果とともに、一層強固にかつ着脱自在に上枠体を容器本体に取り付けることができる。
【００２９】
さらに、第３の発明に係る容器により、上記第２の発明の効果とともに、さらに一層強固にかつ着脱自在に上枠体を容器本体に取り付けることができる。
【図面の簡単な説明】
【図１】本願発明の実施の形態に係る容器を示す斜視図である。
【図２】図１の容器の平面を図１より拡大して示す平面図である。
【図３】図２のIIIーIII断面を示す断面図である。
【図４】図３の容器本体と上枠体との取付部分を拡大して示す断面図である。
【図５】図１の容器の上枠体の正面を示す正面図である。
【図６】図１の上枠体を容器本体に取り付ける直前の状態を示す斜視図である。
【図７】図１の上枠体を下から見た斜視図である。
【図８】図１の容器本体の正面を示す正面図である。
【図９】図１の容器の容器本体の平面を図１より拡大して示す平面図である。
【図１０】図５の上枠体を上下逆にして図８の容器本体に被せた状態を図５および図８より拡大して示す正面図である。
【図１１】図１の容器本体を積み重ねた状態の断面を図１より拡大して示す断面図である。
【図１２】図１の上枠体を積み重ねた状態の断面を図１より拡大して示す断面図である。
【図１３】図１の容器の上枠体に表示板を取り付けた状態を図１より拡大して示す正面図である。
【符号の説明】
１  容器
１０  容器１の容器本体
１１  容器本体１０の上面開口部
１２  容器本体１０の側壁部
１２ａ  側壁部の上端部
１２ｂ  上端部の孔
１２ｃ  側壁部１２の内面
２０  容器１の上枠体
２１  上枠体２０の上面開口部
２２  上枠体２０の上側側壁部
２３  上枠体２０の段差部
２３ａ  段差部の外面
２３ｂ  係止片
２４  上枠体２０の下側側壁部
２５  上枠体２０の下面開口部
【図１】
0003886794.tif 000002
【図２】
0003886794.tif 000003
【図３】
0003886794.tif 000004
【図４】
0003886794.tif 000005
【図５】
0003886794.tif 000006
【図６】
0003886794.tif 000007
【図７】
0003886794.tif 000008
【図８】
0003886794.tif 000009
【図９】
0003886794.tif 000010
【図１０】
0003886794.tif 000011
【図１１】
0003886794.tif 000012
【図１２】
0003886794.tif 000013
【図１３】
0003886794.tif 000014